(57)【要約】【課題】  液体の浮力を利用して荷物を鉛直方向に搬送する垂直搬送システムにおいて、複数位置への荷物の搬送を可能とする。【解決手段】  液体の浮力を用いて荷物を下から上へ搬送する搬送システムにおける管路分岐装置１０である。下側搬送管２１と複数の上側搬送管２２ａ、２２ｂとを接続する分岐管１１内に設けられた仕切り板１２により、分岐管１１から複数の上側搬送管２２ａ、２２ｂへの管路のうち選択された１つを除いて塞ぐことで、下側搬送管２１から任意の上側搬送管へ搬送物３０を搬送することができ、複数箇所へ荷物を振り分けて搬送することができる。【選択図】      図１
2005041655.tif 000002
【特許請求の範囲】
【請求項１】
液体の浮力を用いて荷物を下から上へ搬送する搬送システムにおける管路分岐装置であって、
下側搬送管と複数の上側搬送管との間を接続する分岐管と、前記分岐管内に設けられ、前記分岐管から複数の上側搬送管への管路のうち選択された１つを除いて塞ぐ仕切り板とを備えることを特徴とする管路分岐装置。
【請求項２】
液体の浮力を用いて荷物を上から下へ搬送する搬送システムにおける管路分岐装置であって、
上側搬送管と複数の下側搬送管との間を接続する分岐管と、前記分岐管内に設けられ、前記分岐管から複数の下側搬送管への管路のうち選択された１つを除いて塞ぐ仕切り板とを備えることを特徴とする管路分岐装置。
【発明の詳細な説明】
【技術分野】
【０００１】
本発明は立坑や建築物内で液体の浮力を利用して鉛直方向に荷物を搬送する搬送システムにおいて、搬送カプセルの管路を分岐するための分岐装置に関する。
【背景技術】
【０００２】
大深度の地下構造物を施工する際に荷物を鉛直方向に搬送する方法として、液体の浮力を利用して荷物を上へ搬送し、空気抵抗を利用して荷物を下へ搬送する無動力垂直搬送システムが知られている（例えば、特許文献１参照）。
【特許文献１】特開平５−２１３５９８号公報
【発明の開示】
【発明が解決しようとする課題】
【０００３】
しかし、従来の無動力垂直搬送システムでは、搬送カプセルを立坑内で鉛直に上昇させるため、搬送経路が１つに限られ、複数位置へ搬送することができなかった。このため、複数位置へ搬送する場合には、各位置ごとに垂直搬送システムを設けなければならなかった。
【０００４】
本発明の課題は、液体の浮力を利用して荷物を鉛直方向に搬送する垂直搬送システムにおいて、複数位置への荷物の搬送を可能とすることである。
【課題を解決するための手段】
【０００５】
以上の課題を解決するため、本発明の請求項１に記載の発明は、液体の浮力を用いて荷物を下から上へ搬送する搬送システムにおける管路分岐装置１０であって、例えば図１に示すように、下側搬送管２１と複数の上側搬送管２２ａ、２２ｂとの間を接続する分岐管１１と、前記分岐管１１内に設けられ、前記分岐管１１から複数の上側搬送管２２ａ、２２ｂへの管路のうち選択された１つを除いて塞ぐ仕切り板１２とを備えることを特徴とする。
【０００６】
請求項１に記載の発明によれば、下側搬送管２１と複数の上側搬送管２２ａ、２２ｂとを接続する分岐管１１内に設けられた仕切り板１２により、分岐管１１から複数の上側搬送管２２ａ、２２ｂへの管路のうち選択された１つを除いて塞ぐことで、下側搬送管２１から任意の上側搬送管へ搬送物（搬送カプセル３０）を搬送することができ、複数箇所へ荷物を振り分けて搬送することができる。
【０００７】
請求項２に記載の発明は、液体の浮力を用いて荷物を上から下へ搬送する搬送システムにおける管路分岐装置１０であって、例えば図４に示すように、上側搬送管２２と複数の下側搬送管２１ａ、２１ｂとの間を接続する分岐管１１と、前記分岐管１１内に設けられ、前記分岐管１１から複数の下側搬送管２１ａ、２１ｂへの管路のうち選択された１つを除いて塞ぐ仕切り板１２とを備えることを特徴とする。
【０００８】
請求項２に記載の発明によれば、上側搬送管２２と複数の上側搬送管２１ａ、２１ｂとを接続する分岐管１１内に設けられた仕切り板１２により、分岐管１１から複数の下側搬送管２１ａ、２１ｂへの管路のうち選択された１つを除いて塞ぐことで、上側搬送管２２から任意の下側搬送管へ搬送物（搬送カプセル３０）を搬送することができ、複数箇所へ荷物を振り分けて搬送することができる。
【発明の効果】
【０００９】
本発明によれば、分岐管から複数の搬送管への管路のうち選択された１つを除いて仕切り板で塞ぐことで、下側搬送管から任意の上側搬送管へ、また上側搬送管から任意の下側搬送管へ、搬送物を搬送することができ、複数箇所へ荷物を振り分けて搬送することができる。
【発明を実施するための最良の形態】
【００１０】
以下に、本発明の実施の形態例について詳細に述べる。図１及び図２は、液体の浮力を利用して荷物を上へ搬送する垂直搬送システムの搬送管に設けられた分岐装置１０を示す図である。
【００１１】
分岐装置１０は、分岐管１１と、仕切り板１２と、レバー１３とから構成される。分岐管１１は略Ｙ字形状であり、下側に伸びる下側搬送管２１と、鉛直上方向に伸びる上側搬送管２２ａと、斜め上方向に伸びる上側搬送管２２ｂとが、それぞれフランジ２３を介して接合されている。
【００１２】
分岐管１１、下側搬送管２１、上側搬送管２２ａ、２２ｂの内部は、搬送に用いる液体で満たされている。
【００１３】
下側搬送管２１の下部には、液体よりも比重の軽い搬送カプセル３０を液体中に挿入する図示しないカプセル挿入装置が設けられている。なお搬送カプセル３０は内部に荷物等を収容することができ、荷物等を収容した状態で液体よりも比重が小さくなるようにあらかじめ荷物量が調整される。
【００１４】
上側搬送管２２ａ、２２ｂの上部には、それぞれ液体中から搬送カプセル３０を取り出す図示しない取り出し装置が設けられている。
【００１５】
仕切り板１２は、分岐管１１内の下側搬送管２１から２つの上側搬送管２２ａ、２２ｂへの分岐部分に設けられている。仕切り板１２はレバー１３と連動して回動する。
【００１６】
レバー１３は分岐管１１の外部に設けられており、その付け根を中心に仕切り板１２とともに回動する。レバー１３のノブ１４にはインデックスプランジャーが用いられており、内蔵されたバネによりその先端が突出し、分岐管１１外面に設けられた２箇所の穴１５ａ、１５ｂのいずれかに嵌合する。ノブ１４の先端が２箇所の穴１５ａ、１５ｂのいずれかに嵌合すると、仕切り板１２はそれに対応した２位置で固定される。
【００１７】
ノブ１４の先端が穴１５ａに嵌合した状態では、仕切り板１２は図１に示すように、分岐管１１から上側搬送管２２ａへの管路を塞ぐ位置で固定され、下側搬送管２１と上側搬送管２２ｂとが連通する。ノブ１４の先端が穴１５ｂに嵌合した状態では、仕切り板１２は図２に示すように、分岐管１１から上側搬送管２２ｂへの管路を塞ぐ位置で固定され、下側搬送管２１と上側搬送管２１ａとが連通する。
【００１８】
なお、仕切り板１２は、管路を搬送カプセル３０が通過できない程度に塞げば充分であり、例えば内部の液体が通過できるように、カプセル３０よりも充分小さい網目構造の仕切り板１２としてもよい。
【００１９】
次に、本発明の分岐装置１０を用いて荷物を２箇所に搬送する方法について説明する。まず荷物を上側搬送管２２ａの上部に搬送する場合には、ノブ１４の先端を穴１５ｂに勘合させ、下側搬送管２１と上側搬送管２２ａとを連通させる。この状態で、液体よりも比重が小さくなるように荷物の収容量を調整された搬送カプセルを、カプセル挿入装置から下側搬送管２１内へ挿入する。搬送カプセル３０は浮力により下側搬送管２１内を上昇し、分岐装置１０を通過して上側搬送管２２ａ内を上昇し、上側搬送管２２ａの上部の取り出し装置により取り出される。取り出された搬送カプセル３０からは、荷物が取り出される。
【００２０】
荷物を上側搬送管２２ｂに送る場合には、ノブ１４の先端を穴１５ａに勘合させ、下側搬送管２１と上側搬送管２２ｂとを連通させ、同様にして荷物を上側搬送管２２ｂの上部に搬送することができる。
【００２１】
本発明の分岐装置１０によれば、搬送カプセル３０の通る管路を分岐することができ、搬送カプセル３０を２箇所に振り分けて搬送することができる。
【００２２】
図３は本発明の第２の実施の形態を示す図である。本実施の形態の分岐装置１０では、分岐管１１に下側搬送管２１と、３本の上側搬送管２２ａ、２２ｂ、２２ｃとが、フランジ２３を介して接合されている。また、分岐管１１内には、仕切り板１２Ａ、１２Ｂが設けられている。
【００２３】
仕切り板１２Ａは、分岐管１１内の上側搬送管２２ａ、２２ｂの間の分岐部分に設けられる。仕切り板１２Ａは第１の実施の形態と同様にレバー１３Ａのノブ１４Ａと穴１５ａ、１５ｂとにより２位置で固定され、分岐管１１から上側搬送管２２ａ、２２ｂのいずれかへの管路を塞ぐ。
【００２４】
仕切り板１２Ｂは、分岐管１１内の上側搬送管２２ｂ、２２ｃの間の分岐部分に設けられる。仕切り板１２Ｂも同様にして、レバー１３Ｂのノブ１４Ｂと穴ｂ、ｃとにより２位置で固定され、分岐管１１から上側搬送管２２ｂ、２２ｃのいずれかへの管路を塞ぐ。
【００２５】
本実施の形態の分岐装置１０では、仕切り板１２Ａ及び仕切り板１２Ｂにより、上側搬送管２２ａ、２２ｂ、２２ｃのいずれか２本への管路を塞ぐことにより、上側搬送管２２ａ、２２ｂ、２２ｃのいずれか１本を選択して下側搬送管２１から搬送カプセル３０を搬送することができる。
【００２６】
なお、以上の実施の形態においては、分岐管１１には２〜３本の上側搬送管２２が接続されることとしたが、本発明はこれに限定されるものではなく、さらに多数の上側搬送管２２を接続してもよい。また、下側搬送管２１や上側搬送管２２の途中にさらに分岐装置１０を設けて複数位置へ搬送するようにしてもよい。
【００２７】
また、下側搬送管２１は複数位置から合流する構造であってもよい。その場合には、複数の場所から搬送されるカプセル３０を分岐装置により複数の場所へ荷物を振り分けることとなる。
【００２８】
また、搬送カプセル３０の比重を下側搬送管２１、上側搬送管２２、及び分岐管１１内部の液体よりも大きくした場合には、搬送カプセル３０を上から下へ搬送することができるが、その場合にも、分岐装置１０は、搬送カプセル３０を上から下へ搬送することができる。
【００２９】
また、搬送カプセル３０を上から下へ搬送する場合には、例えば図４に示すように複数の下側搬送管２１ａ、２１ｂと１本の上側搬送管２２との間に、前述の分岐装置１０を上下逆に設けてもよい。あるいは、図５に示すように、前述の分岐装置１０を１本の上側搬送管２２と複数の下側搬送管２１ａ、２１ｂ、２１ｃとの間に上下逆に設けてもよい。この場合には、１本の上側搬送管２２から複数の下側搬送管２１ａ、２１ｂ、２１ｃのいずれか１本を選択して搬送カプセル３０を振り分けることができる。
【００３０】
また、上側搬送管２２は複数位置から合流する構造であってもよい。その場合には、複数の場所から搬送されるカプセル３０を分岐装置により複数の場所へ荷物を振り分けることとなる。
【００３１】
また、搬送カプセルを下から上へ搬送する場合と同様にさらに分岐装置１０を組み合わせて設けてもよいし、その他具体的な細部構造等についても適宜に変更可能であることは勿論である。
【図面の簡単な説明】
【００３２】
【図１】本発明の実施の形態例を示す断面図である。
【図２】本発明の実施の形態例を示す断面図である。
【図３】本発明の実施の形態例を示す断面図である。
【図４】本発明の実施の形態例を示す断面図である。
【図５】本発明の実施の形態例を示す断面図である。
【符号の説明】
【００３３】
１０  分岐装置
１１  分岐管
１２、１２Ａ、１２Ｂ      仕切り板
１３、１３Ａ、１３Ｂ      レバー
１４、１４Ａ、１４Ｂ      ノブ
１５ａ、１５ｂ、１５ｃ    穴
２１  下側搬送管
２２ａ、２２ｂ、２２ｃ    上側搬送管
２３  フランジ
３０  搬送カプセル
【図１】
2005041655.tif 000003
【図２】
2005041655.tif 000004
【図３】
2005041655.tif 000005
【図４】
2005041655.tif 000006
【図５】
2005041655.tif 000007